(57)【要約】【課題】  鋏等の切断用具を用いることなく取り外すことができて患者や新生児の安全が確保できるとともに、簡便な操作で取り外しを可能とすることでスタッフの負担を軽減するようにしたリストバンド用クリップおよびリストバンドを提供する。【解決手段】  本発明のリストバンド用クリップ１０は、ヒンジ部１１で連結されるとともに、このヒンジ部１１で折りたたまれてリストバンドを上下方向から挟み込む一対のボス側基体１２および留穴側基体１３が一体成形された構成となっている。ボス側基体１２と留穴側基体１３には、これらを系止する第一系止部１５と第二系止部１６とを備え、この第二系止部１６は、系止した後に系止を解除出来るようになっている。また、リストバンドを切り離すためのＶ字形状の切り込み２９がボス側基体１２を貫いて形成されている。【選択図】    図２
2005215470.tif 000002
【特許請求の範囲】
【請求項１】
複数のセット穴が形成されたセット部を一端に備え、複数のバンド穴が形成されたバンド部を他端に備えたリストバンドの前記セット穴と前記バンド穴に挿通して系止するリストバンド用クリップであって、
前記セット部および前記バンド部を上下方向から挟み込む一対の基体と、
第一の前記セット穴および第一の前記バンド穴に挿通されるとともに、前記一対の基体を系止する第一の系止部と、
前記第一のセット穴よりも表示部側に形成された第二の前記セット穴および第二の前記バンド穴に挿通されるとともに、前記一対の基体を解除可能に系止する第二の系止部と、を備えることを特徴とする、リストバンド用クリップ。
【請求項２】
前記一対の基体のいずれか一方には、前記第一の系止部と前記第二の系止部との間に前記リストバンドを切断するための切断手段が設けられていることを特徴とする、請求項１に記載のリストバンド用クリップ。
【請求項３】
前記切断手段は、前記第一の系止部による系止を解除させて使用可能にすることを特徴とする、請求項１または２に記載のリストバンド用クリップ。
【請求項４】
前記一対の基体は、リストバンドが挿入される挿通部が開口されたヒンジ部で連結されるとともに、前記ヒンジ部を介して折りたたまれることを特徴とする、請求項１ないし３のいずれかに記載のリストバンド用クリップ。
【請求項５】
請求項１ないし４のいずれかに記載のリストバンド用クリップで手首等に巻止められるリストバンドであって、
帯状のシート基材よりなり、
患者情報等を表示する情報表示部と、
前記情報表示部の一端に設けられ、前記セット部を切り離すための切断部およびこの切断部を挟む２個のセット穴が形成されたセット部と、
前記情報表示部の他端に設けられ、複数のバンド穴が形成されたバンド部と、を備えることを特徴とする、リストバンド。
【請求項６】
前記切断部はミシン目および／またはハーフカットであることを特徴とする、請求項５に記載のリストバンド。
【発明の詳細な説明】
【技術分野】
【０００１】
本発明は、手首や足首などに巻き付けて用いられるリストバンド用クリップおよびリストバンドに関し、特に病院において患者の手首や足首に巻き付けて患者情報や医療情報の表示を行うために用いられるリストバンド用クリップおよびリストバンドに関する。
【背景技術】
【０００２】
近年、病院における医薬品の誤投与や過剰投与等による医療過誤、あるいは新生児の取り違え等（以下、医療過誤等と称す）が大きな社会問題となっている。特に大病院においては多くの入院患者や新生児（以下、患者等と称す）を受け入れており、患者等も頻繁に入れ替わるため、医療スタッフ一人一人が患者等の顔や氏名、年齢、血液型、診療科名、来院履歴、病状、投薬内容、検査内容、治療内容等をつぶさに把握しているのは難しい。そこで、上記情報を表示し、記憶に頼らずとも患者情報や検査情報を把握可能とすることが出来るリストバンドを活用することで、医療過誤等の防止が図られている。
【０００３】
一般に、リストバンドの表面には、上記に示す患者名や血液型、科名、病棟名等の他に、患者等に固有の情報をバーコード化した二次元コードやバーコード等の印字がプリンタにより行われており、入院中は患者等の手首や足首等（以下、手首等と称す）に巻き付けて使用される。例えば、合成樹脂製のフィルムの裏面に不織布を貼付して構成されたリストバンドが知られている（特許文献1参照）。
【０００４】
このようなリストバンドは、患者等が入院している間は継続的に使用されるため、一度取り付ければ簡単に外れないように、専用のリストバンド用クリップ等を用いて患者等の手首等に取り付けられている（例えば特許文献２参照）。そのため、退院時や患者情報の更新等で取り外す場合には、鋏等の切断用具を用いてリストバンドを切り離すようにしている。
【０００５】
【特許文献１】特開２００１−３１６９２１号公報
【特許文献２】特開２００３−１５５２７号公報
【発明の開示】
【発明が解決しようとする課題】
【０００６】
しかしながら、リストバンドを切断する際に、鋏等の切断用具が肌に触れて患者等が驚いて体を動かし、その弾みで鋏等の切断用具で患者等を傷つけてしまうという危険性があった。そのために、特に新生児の肌の近くで鋏等の切断用具を用いる際には細心の注意を要するという問題があり、また医療スタッフが鋏を携行していなければならないという、煩わしさもあった。
【０００７】
本発明は上記事情に鑑みてなされたものであり、その目的とするところは、鋏等の切断用具を用いることなく取り外すことができて患者や新生児の安全が確保できるとともに、簡便な操作で取り外しを可能とすることでスタッフの負担を軽減するようにした、リストバンド用クリップおよびリストバンドを提供する点にある。
【課題を解決するための手段】
【０００８】
本発明のリストバンド用クリップは、前記目的を達成するために、複数のセット穴が形成されたセット部を一端に備え、複数のバンド穴が形成されたバンド部を他端に備えたリストバンドの前記セット穴と前記バンド穴に挿通して系止するリストバンド用クリップであって、前記セット部および前記バンド部を上下方向から挟み込む一対の基体と、第一の前記セット穴および第一の前記バンド穴に挿通されるとともに、前記一対の基体を系止する第一の系止部と、前記第一のセット穴よりも表示部側に形成された第二の前記セット穴および第二の前記バンド穴に挿通されるとともに、前記一対の基体を解除可能に系止する第二の系止部と、を備えることを特徴としている。
【０００９】
また、前記一対の基体のいずれか一方には、前記第一の系止部と前記第二の系止部との間に前記リストバンドを切断するための切断手段を設けることができる。
【００１０】
また、前記切断手段は、前記第一の系止部による系止を解除させて使用可能にすることができる。
【００１１】
また、前記一対の基体は、リストバンドが挿入される挿通部が開口されたヒンジ部で連結されるとともに、前記ヒンジ部を介して折りたたむようにすることができる。
【００１２】
さらに、本発明のリストバンドは、帯状のシート基材よりなり、患者情報等を表示する情報表示部と、前記情報表示部の一端に設けられ、前記セット部を切り離すための切断部およびこの切断部を挟む２個のセット穴が形成されたセット部と、前記情報表示部の他端に設けられ、複数のバンド穴が形成されたバンド部と、を備えることを特徴としている。
【００１３】
また、前記切断部はミシン目および／またはハーフカットとすることができる。
【発明の効果】
【００１４】
本発明に係るリストバンド用クリップには切断手段が設けられており、リストバンドの使用後は鋏を用いることなくこの切断手段により切断して取り外すことができるので、特に重症患者や新生児に対して安全に使用できる。
【００１５】
また、本発明に係るリストバンド用クリップに設けられた切断手段は、第二の系止部による系止を解除する解除手段を作動させないと働かないようになっているので、使用中にリストバンドを切断することはない。
【００１６】
また、本発明に係るリストバンド用クリップは、リストバンドに形成された切断部の前後を２個のセット穴で系止するようになっているので、リストバンドを引っ張っても切断部で切れることがない。
【００１７】
さらに、本発明に係るリストバンドには、セット部に形成された２個のセット穴の間に切断部が設けられているので、鋏を用いることなくリストバンドの取り外しが行える。
【発明を実施するための最良の形態】
【００１８】
以下添付図面に従って、本発明に係るリストバンド用クリップおよびリストバンドにおける好ましい実施の形態について詳説する。
【００１９】
図１は、本発明の実施の形態に係るリストバンド１の斜視図である。
同図に示すように、本発明に係るリストバンド１は、プリンタ（図示せず）により表面に所定の情報（診療科名、病棟名、患者氏名、バーコード、二次元コード）が印字された表示部２と、その表示部２の両側に延びるセット部３およびバンド部４とで構成されている。セット部３は、略長方形状のセット穴５が２個形成されており、一方、バンド部４にはセット穴５と同じ間隔で８個のバンド穴６が一定の間隔で形成され、このセット穴５とバンド穴６とを適当に組み合わせて系止することにより、リストバンド１を取り付ける輪の大きさを調整できるようになっている。また、この２個のセット穴５の間には、セット部３を切断してリストバンド１を取り外すためのＶ字形状のミシン目（切断部）７が、セット部３の端部に近い方のセット穴５に対して開く形で形成されている。
【００２０】
このようなリストバンド１の材質としては、ポリエチレン、ポリプロピレン、ポリエステル、塩化ビニール、ポリアミド等の樹脂や繊維、不織布、もしくは合成紙、およびこれらの積層体等のように、プリンタによる印字適正に優れており、手触りが良く、風呂に入っても変質せずに長期間の使用が可能であり、強靱でありながらも適度な切断性を有する公知の材料を用いることが出来る。
【００２１】
図２、図３は、それぞれ本発明の実施の形態に係るリストバンド用クリップ１０の斜視図および側面図である。同図に示すように、リストバンド用クリップ１０は、ヒンジ部１１で連結されるとともに、このヒンジ部１１で折りたたまれて、リストバンド１のセット部３およびバンド部４を上下方向から挟み込む一対のボス側基体１２および留穴側基体１３が一体成形された構成となっている。また、ヒンジ部１１には、バンド部４および／またはセット部３が挿通される挿通部１４が開口されており、この挿通部１４のサイズは、バンド部４および／またはセット部３が挿通された際、不必要にがたつかないように、これらの幅と厚みを考慮して若干の余裕をもって形成されている。
【００２２】
さらに、各々の基体１２、１３には、セット穴５およびバンド穴６に挿通してリストバンド１を系止するための第一系止部１５および第二系止部１６が隣り合って設けられている。以下、これらの第一系止部１５および第二系止部１６の構成について詳細に説明する。
【００２３】
すなわち、ボス側基体１２には、ヒンジ部１１に近い側に第一系止部１５を構成する第一ボス１７、端部に近い側に第二系止部１６を構成する第二ボス１８がセット穴５およびバンド穴６に対して挿通可能に突出して形成されている。この第一ボス１７、第二ボス１８は、四角柱状に形成された第一軸部１９、第二軸部２０の先端に、各々断面略扇形の第一爪部２１、第二爪部２２が一体成形されたものであり、ここで第一ボス１７の第一爪部２１は第一軸部１９の両側に突出しているが、第二ボス１８の第二爪部２２は片側（ヒンジ側）のみに突出して形成されている。これらの第一爪部２１、第二爪部２２は、いずれも弾性変形により拡縮可能となっている。
【００２４】
また、留穴側基体１３には、第一系止部１５を構成する２個の第一留穴２３と第二系止部１６を構成する第二留穴２４とが、ヒンジ部１１を介して各々第一ボス１７、第二ボス１８と対称の位置に形成されており、両側の基体１２、１３をヒンジ部１１で折り曲げた時に、ボス側基体１２に形成した第一ボス１７、第二ボス１８が各々の留穴２３、２４に挿入されて、両側の基体１２、１３を系止可能となっている。この第一留穴２３、第二留穴２４は、第一ボス１７の第一軸部１９、第二ボス１８の第二軸部２０の形状に対応して、四角柱状に形成されている。
【００２５】
第一留穴２３の上端部両側には、第一爪部２１と対応する位置に略四角柱状の第一凸部２５が形成されており、両側の基体１２、１３をヒンジ部１１で折り曲げて第一ボス１７を第一留穴２３に挿入していくと、第一ボス１７に形成された両側の第一爪部２１が第一凸部２５に突き当たって弾性変形し、第一凸部２５を通過して第一留穴２３に完全に収容されるようになっている。第一ボス１７が第一留穴２３に完全に収容された後は、第一ボス１７を引き抜こうとしても第一凸部２５と第一爪部２１とが引っかかって抜けないようになっている。
【００２６】
一方、第二留穴２４の上端部片側には、第二爪部２２と対応する位置に略四角柱状の第二凸部２６が形成されており、両側の基体１２、１３をヒンジ部１１で折り曲げて第二ボス１８を第二留穴２４に挿入していくと、第二ボス１８に形成された片側の第二爪部２２が第二凸部２６に突き当たって弾性変形し、第二凸部２６を通過して第二留穴２４に完全に収容されるようになっている。第二ボス１８が第二留穴２４に完全に収容された後は、第二ボス１８を引き抜こうとしても第二凸部２６と第二爪部２２とが引っかかって簡単には抜けないようになっているが、第二爪部２２、第二凸部２６は片側のみに形成されており、また変形しやすく形成されているため、留穴側基体１３外側からボールペンの先等で、第二留穴２４に見えている第二爪部２２を第二軸部２０の中心方向斜め下方に押し込むと、第二爪部２２と第二軸部２０が弾性変形して第二爪部２２が第二凸部２６を通過し、第二ボス１８が第二留穴２４から抜けるようになっている。
【００２７】
また、図３に示すように、第二留穴２４は留穴側基体１３を貫通する穴となっており、第二ボス１８の先端部が突出することなく留穴側基体１３に完全に収容されるが、留穴側基体１３の外側から第二ボス１８の先端部が見えるようになっている。なお、図では第一留穴２３も留穴側基体１３を貫通する穴となっているが、留穴側基体１３の外側を閉じるようにして形成しても良い。
【００２８】
上記のごとく、第一系止部１５は、第一軸部１９と第一爪部２１とからなる第一ボス１７および、第一凸部２５を設けた第一留穴２３とで構成され、一旦系止すると解除出来ないように設けられているが、第二系止部１６は、第二軸部２０と第二爪部２２とからなる第二ボス１８と第二凸部２６を設けた第二留穴２４とで構成され、系止した後であっても解除が出来るように設けられている。
【００２９】
また、両側の基体１２、１３の幅方向両端部には、第二ボス１８、第一ボス１７、第一留穴２３、第二留穴２４と平行して一対のガイド部２７が立設されている。このガイド部２７は、リストバンド１のセット部３およびバンド部４が、がたつくことなく収納可能なように、若干の余裕を持ちながらセット部３およびバンド部４の幅および高さと略同一になるように設けられている。
【００３０】
次に、リストバンド１のミシン目（切断部）７を切断する切断手段について説明する。図４は、リストバンド用クリップ１０をヒンジ部１１およびボス側基体１２の連結部２８で軽く折り曲げた状態を示す斜視図である。すなわち、ボス側基体１２の第一ボス１７と第二ボス１８の間には、幅方向両端に一部連結部２８を残した状態で、Ｖ字形状の切り込み２９がボス側基体１２を貫いて形成されている。ボス側基体１２は、この幅方向の連結部２８を介して第一ボス１７、第二ボス１８が形成された側と反対側（外側）に二つに折れ曲がるようになっている。このＶ字形状の切り込み２９は、リストバンド１のセット部３に形成された２個のセット穴５に対してボス側基体１２の第一ボス１７と第二ボス１８をセットした際に、２個のセット穴５の間に形成されたミシン目７と重なるようにして、ミシン目７と対応する位置に略同一形状で設けられている。図４に示すように、連結部２８を介してボス側基体１２を外側に折り曲げることによりＶ字形状の切り込み２９の上端に刃部３０が出現し、この刃部３０にミシン目７を押し当てて２個のセット穴５の間でセット部３を切断するようになっている。
【００３１】
このようなリストバンド用クリップ１０には、適度な強度と柔軟性、優れた成形特性を有し、人体に安全な材質が使用され、例えばポリエチレン、ポリプロピレン、ポリエステル、ポリウレタン、ポリアミド、塩化ビニール等の樹脂、あるいはアルミニウム等の金属を用いることが出来る。
【００３２】
次に、このような構成のリストバンド１およびリストバンド用クリップ１０を用いて、リストバンド１を患者等の手首等に取り付ける方法を説明する。図５は、リストバンド用クリップ１０にリストバンド１を取り付ける状態を示す説明図、図６は、リストバンド用クリップ１０にリストバンド１を取り付けて手首３１に系止した状態を示す説明図である。
【００３３】
同図に示すように、まず、リストバンド１の表示部２の表示面を上にして、セット部３の端部側のセット穴５には第一ボス１７、表示部２側のセット穴５には第二ボス１８を挿入し、リストバンド用クリップ１０にリストバンド１のセット部３を取り付ける。次いで、リストバンド１を手首３１に回して、リストバンド用クリップ１０を半開にした状態でヒンジ部１１に開口した挿通部１４の左からバンド部４を挿入し、手首３１の大きさに合わせながら、適当な位置にある２個のバンド穴６に第一ボス１７および第二ボス１８を挿入する。このようにしてセット部３に重ねてバンド部４が取り付けられる。かかる後に、ヒンジ部１１で折り曲げて留穴側基体１３をボス側基体１２に重ね、第一ボス１７を第一留穴２３、第二ボス１８を第二留穴２４に完全に挿入して両側の基体１２、１３を系止する。ここで、リストバンド１のセット部３およびバンド部４は、両側の基体１２、１３と、第一ボス１７、第二ボス１８、ガイド部２７および挿通部１４により、幅方向および厚み方向に規制されているので、リストバンド用クリップ１０の中でがたつくことはない。なお、リストバンド１の長さが長すぎてじゃまになる場合には、あらかじめバンド部４の端部を適宜切り取って長さを調整しておいてもよい。
【００３４】
次に、このようにして取り付けたリストバンド１の取り外し方法を図５、図７、図８を用いて説明する。図７は、リストバンド１のセット部３をリストバンド用クリップ１０の刃部３０に当てて切り取っている状態を示す説明図、図８は、リストバンド１のセット部３をリストバンド用クリップ１０の刃部３０で完全に取り去った状態を示す説明図である。
【００３５】
図５に示すように、第二系止部１６を構成する第二留穴２４は貫通穴となっており、両側の基体１２、１３を折りたたんで系止した状態では、第二留穴２４の中に第二ボス１８の先端が見えるようになっている。こうした第二留穴２４からボールペン等の先端部を挿入し、第二ボス１８の第二爪部２２を図５における左上方から右下方に向けて押し込むようにする。その結果、第二ボス１８の第二軸部２０の弾性変形によって第二爪部２２が反対方向（左から右）へ変位するとともに、第二爪部２２および第二凸部２６が弾性変形して第二凸部２６から第二爪部２２がはずれる。
【００３６】
さらに先端部を押し込むと、第二ボス１８と第二留穴２４の系止状態が解除されて第二ボス１８は第二留穴２４から外れるが、第一系止部１５を構成する第一ボスと第一留穴２３とは系止されているため、図７に示すようにボス側基体１２が連結部２８で折れ曲がり、Ｖ字形状の刃部３０が出現する。この状態でリストバンド１の表示部２側を持ってボス側基体１２方向（手首側）に押し下げると、刃部３０の上方に位置するセット部３がミシン目７に沿って押し破られてミシン目７部分でセット部３が切断されるので、第二ボス１８をセット穴５からはずして引っ張ると、図８に示すように、リストバンド１はセット部３で２つに分離する。
【００３７】
このようにして、本実施の形態によれば、鋏等の切断手段を用いることなくリストバンド１を手首３１から取り外すことが可能となり、鋏で誤って患者等を傷つける心配がない。また、一度使用したリストバンド１はセット部３で切断されるので、取り外したリストバンド１を誤って他人に取り付けることがなく、医療過誤の防止が図れる。
【００３８】
なお、本発明は本実施の形態に限定されず、本発明の技術思想の範囲内において適宜変更可能である。本実施の形態においては、ボス側基体１２と一体成形された樹脂製の刃部３０でミシン目７を押しきるようにしたが、切り込み２９の断面に対して金属製の刃を取り付けて刃部３０を形成するようにしてもよい。こうすることにより、あらかじめミシン目７やハーフカットのような切断部を有しないリストバンドであっても、所望の位置で切断を行うことが出来る。
また、本実施の形態のリストバンド用クリップ１０においては、ボス側基体１２を手首３１側に開いて刃部３０を出現させるように構成したが、手首３１とは反対側に開くように構成することも可能である。
また、ミシン目７のＶ字形状は、リストバンド用クリップ１０の刃部３０で切断しやすいように形成されたものである。したがって、刃部３０の形状に合わせて変更可能であり、またミシン目に限らず、同様の機能を果たすものであれば、例えば基材の厚み方向に途中まで切り込んで形成されるハーフカットであってもかまわない。
いずれにせよ、。
【図面の簡単な説明】
【００３９】
【図１】本発明の実施の形態に係るリストバンドの斜視図
【図２】同、リストバンド用クリップの斜視図
【図３】同、リストバンド用クリップの側面図
【図４】リストバンド用クリップをヒンジ部およびボス側基体の連結部で軽く折り曲げた状態を示す斜視図
【図５】リストバンドクリップにリストバンドを取り付ける状態を示す説明図、
【図６】リストバンド用クリップにリストバンドを取り付けて手首に系止する状態を示す説明図
【図７】リストバンドのセット部をリストバンド用クリップの刃部で切り取っている状態を示す説明図
【図８】リストバンドのセット部をリストバンド用クリップの刃部で完全に取り去った状態を示す説明図
【符号の説明】
【００４０】
１  リストバンド
２  表示部
３  セット部
４  バンド部
５  セット穴
６  バンド穴
７  ミシン目（切断部）
１０  リストバンド用クリップ
１１  ヒンジ部
１２  ボス側基体
１３  留穴側基体
１４  挿通部
１５  第一系止部
１６  第二系止部
１７  第一ボス
１８  第二ボス
１９  第一軸部
２０  第二軸部
２１  第一爪部
２２  第二爪部
２３  第一留穴
２４  第二留穴
２５  第一凸部
２６  第二凸部
２７  ガイド部
２８  連結部
２９  切り込み
３０  刃部
３１  手首
【図１】
2005215470.tif 000003
【図２】
2005215470.tif 000004
【図３】
2005215470.tif 000005
【図４】
2005215470.tif 000006
【図５】
2005215470.tif 000007
【図６】
2005215470.tif 000008
【図７】
2005215470.tif 000009
【図８】
2005215470.tif 000010